(57)【要約】 【課題】  植物の生長に対して安定して有効性のある新規な植物の生長を促進する方法を提供すると共に、品質の均一性，安定性がある新規な植物生長促進剤及びこの植物生長促進剤を含む農業資材を提供する。【解決手段】  植物の生長を促進する方法は、ルテオリンを植物に与えることによる。また、植物生長促進剤は、ルテオリンからなるものである。さらに、農業資材は、ルテオリンからなる植物生長促進剤を含むものであり、粉末、固体、粒体、液体の材型であるものである。【選択図】    なし【特許請求の範囲】
【請求項１】
ルテオリンを植物に与えることによる植物の生長を促進する方法。
【請求項２】
ルテオリンからなる植物生長促進剤。
【請求項３】
請求項２の記載の植物生長促進剤を含むことを特徴とする農業資材。
【請求項４】
粉末、固体、粒体、液体の材型であることを特徴とする請求項３に記載の農業資材。
【発明の詳細な説明】
【技術分野】
【０００１】
本発明は、農業、林業等において、植物の収量の向上のため、植物の生長を促進させる方法、植物生長促進剤及び農業資材に関する
【背景技術】
【０００２】
ステビアの葉及び茎の乾燥粉末を温水抽出し更にこれを発酵させたステビア抽出液を有効成分とする園芸用肥料が知られている（例えば特許文献１）。そしてこの園芸用肥料は、野菜や果実等の甘味の向上等に効果を有するとされる。
【特許文献１】特許第２５７７１０５号公報
【発明の開示】
【発明が解決しようとする課題】
【０００３】
公知の園芸用肥料は、ステビア抽出液の発酵に１８０〜３６０日の長期期間が必要である。更に、長期期間発酵させるため、種々の環境の変化により品質の均一性、安全性に欠けるという課題があり、使用に際しては水によって５００〜１５００倍に希釈するので、品質の均一性、安定性に欠け、植物の生長に対する有効性についても安全性に欠けるという課題がある。
本発明は，上記課題に鑑み、植物の生長に対して安定して有効性のある新規な植物の生長を促進する方法を提供すると共に、品質の均一性，安定性がある新規な植物生長促進剤及びこの植物生長促進剤を含む農業資材を提供するものである。
【課題を解決するための手段】
【０００４】
そのために、本発明の植物の生長を促進する方法は、下記［化学式１］のルテオリンを植物に与えることによる。
また、本発明の植物生長促進剤は、ルテオリンからなるものである。
さらに、本発明の農業資材は、ルテオリンからなる植物生長促進剤を含むことを特徴とするものである。
そして、本発明の農業資材は、粉末、固体、粒体、液体の材型であることを特徴とするものである。
【０００５】
【化１】
2005320266.tif 000002
【０００６】
発明者は、植物生長促進効果の客体がルテオリンと判明し、肥料等の資材に適宣種々の作物等に応じてルテオリンを０．０１×１０−９ 〜 ５×１０−９Ｍの濃度範囲にて使用することにより、植物の成長に対する有効性について品質の均一な安定した効果を得ることができることに基づき本発明に想達した。
【発明の効果】
【０００７】
本発明の植物の生長を促進する方法は、ルテオリンを植物に与えることによるから、植物の生長が安定して有効である効果がある。
本発明の植物生長促進剤はルテオリンからなり、本発明農業資材は上記植物生長促進剤を含むものであるから、品質が均一であり、安定性があるものを提供できる効果がある。
【発明を実施するための最良の形態】
【０００８】
本発明の植物の生長を促進する方法、植物生長促進剤及び農業資材の詳細を以下に説明する。
【実施例１】
【０００９】
（ルテオリンの調整）
ステビア抽出液の生長促進効果について検証を行った結果、キュウリ発芽種子ではシャーレ粗寒天培地１０ｍｌに対してステビア乾燥量２ｍｇに相当する抽出物の濃度で、地上部・地下部ともに４０％以上の著しい生長促進効果が見られた。そこで、ステビアの農業用資材としての有効性をより明確にするために、その原因物質の検索、同定作業を行った。
【００１０】
植物生長促進物質の検索
図１は、植物生長促進物質の分類、精製行程を示したものである。当該各行程における生長促進の活性は、キュウリ発芽種子を用いたバイオアッセイで確認をした。図１中の  Ｆｒ．７−３の分画で強い生長促進活性が見られた（図２参照）。
【００１１】
Ｆｒ．７−３（これをＦｒ．８と改名）の分画精製操作を進め、物質の構造決定を試みた。Ｆｒ．８の主成分であるＦｒ．８−２を起点としてＦｒ．１４までの分離精製を行った。
【００１２】
植物生長促進物質の同定
Ｆｒ．８−２を再クロマトグラフィー（０〜６０ｍｉｎ：７０％メタノールイソクラティック溶出）に供した。バイオアッセイにより成長活性を確認したところ、Ｆｒ．１５−３という活性フラクションを得た。
【００１３】
Ｆｒ．１５−３をＳｅｐｈａｄｅｘ  ＬＨ−２０クロマトグラフィー（１５×１５０ｍｍ、１００％メタノール）に供し、流速１ｍｌ／分で１０分間溶出分画を行った。この操作により、Ｆｒ．１５−３をＦｒ．１６−１からＦｒ．１６−３の３分画に分画した。
【００１４】
Ｆｒ．１６−１からＦｒ．１６−３の分画についてバイオアッセイを行った結果、Ｆｒ．１６−２において肉眼で観察できるレベルでの活性が認められた（図３）。そこで、Ｆｒ．１６−２について活性の有無を確実に証明するためにＦｒ．１６−２の濃度依存性について検討した。その結果を図４に示す。図４を見ると、Ｆｒ．１６−２は１０ｐｐｂの濃度において根部・地上部でそれぞれ１５％・２５％の生長促進率を示した。これらの値は突出した生長促進効果を示すというには低い値であるが，統計学的には有意と認められる。また濃度依存性についてみると、４０ｐｐｂから１０ｐｐｂへと濃度が減少するに従って生長促進率が増大し、明確な濃度依存性が示唆される。こうした結果はＦｒ．１６−２が１０ｐｐｂ以下の濃度でさらに大きな活性を発現することを示唆している。
【００１５】
Ｆｒ．１６−２についてマススペクトルの結果分子量は２８６であると判明し、また  １３Ｃ−ＮＭＲを測定した結果芳香族化合物であることが判明した。更にＮＭＲの特殊測定によりＦｒ．１６−２よりルテオリンを同定した。フラボノイドやフェノール類では同程度の濃度レベルで成長促進あるいは抑制効果が報告されている（Ｍａｃｉａｓ  ｅｔ  ａｌ．１９９７．１９９９）。そこで、Ｆｒ.１６−２の活性を詳細に検証するために標品のルテオリンを用いて低濃度領域における活性濃度依存性を調べた。
【実証例２】
【００１６】
（ルテオリンを用いた植物生長促進効果の確認）
市販ルテオリンを用いて図５に示す濃度でキュウリ発芽種子によるバイオアッセイを行い、その結果を表１に示す。
【００１７】
方法は、市販ルテオリンを更にゲルロ過にかけ不純物を取り除き、これを７．２０ｍｇにＴｗｅｅｎ８０（界面活性剤）１０ｍｌを加えて溶解させた。この液を脱塩水で希釈して寒天培養試験用に設立したモル濃度（５．０×１０−８Ｍ）の原液を作成し、［表１］に示すルテオリン濃度に脱塩水で希釈することにより試験液を作成した。尚、各試験液のＴｗｅｅｎ８０濃度は同一になるようにＴｗｅｅｎ８０を適宣加えて調製した。試験液をそれぞれ１ｍｌずつシャーレに分注し、１％寒天水４ｍｌを加えて混合し、寒天培地を作成した。この寒天培地に、キュウリ発芽種子（青長四葉胡瓜、（株）オオタ種苗、発芽長２〜３ミリ）５粒播種して、２５℃暗所で３日間培養した。各濃度の試験は、３連で行った。Ｃｏｎｔｒｏｌとしてルテオリン無添加でＴｗｅｅｎ８０のみが入った区を設定した。そして、幼菌の根部及び下胚軸部の長さを測定して生長促進率（％）を算出した。
【００１８】
【表１】
2005320266.tif 000003
【００１９】
得られた結果を表１および図５に示した。これらの結果から０．０１〜５×１０−９Ｍの濃度範囲でルテオリンの生長促進効果が認められ、０．３５×１０−９Ｍ付近で活性最大値を示すことが明らかになった。
【図面の簡単な説明】
【００２０】
【図１】ステビアの植物生育促進物質の分離精製手順を示す図
【図２】Ｆｒ．７−３（Ｆｒ．８）のキュウリ種子生育促効果を示す図
【図３】Ｆｒ．１６−２のキュウリ種子生育促効果を示す図
【図４】Ｆｒ．１６−２のバイオアッセイを示す図
【図５】ルテオリンの各濃度によるキュウリの幼苗の生長促進率を示す図
【図１】
2005320266.tif 000004
【図２】
2005320266.tif 000005
【図３】
2005320266.tif 000006
【図４】
2005320266.tif 000007
【図５】
2005320266.tif 000008